(57)【要約】  本発明は、放射源（２６）の放射パワーを制御する方法であって、ａ）前記放射源（２６）を第１のモードで駆動し、ａ１）前記放射源（２６）が放射を始める閾値（Ｉｔｈｒ）を求めるサブステップ、ａ２）前記放射源（２６）によって放射された前記放射パワーを求めるサブステップ、ａ３）所定の放射パワーＰｒ１を得るために、前記所定の放射パワーＰｒ１から前記測定された放射パワーを差し引くことによって計算されるデルタ電流（Ｉｄｅｌｔａ）を前記閾値電流（Ｉｔｈｒ）に加え、前記放射源（２６）を駆動するサブステップを有するステップと、ｂ）前記放射線源（２６）を第２のモードで駆動し、ｂ１）前記閾値電流（Ｉｔｈｒ）を求めるサブステップ、ｂ２）前記所定の放射パワーＰｒ１を得るために、前記閾値（Ｉｔｈｒ）と前記デルタ電流（Ｉｄｅｌｔａ）と前記放射パワーとの間の関係のモデルである関数Ｆを用いて前記閾値電流（Ｉｔｈｒ）から計算される前記デルタ電流（Ｉｄｅｌｔａ）を前記閾値電流（Ｉｔｈｒ）に加え、前記放射源（２６）を駆動するサブステップを有するステップとを有する方法に関する。しかしながら、前記デルタ電流（Ｉｄｅｌｔａ）と前記閾値（Ｉｔｈｒ）の間の関係は、放射源の寿命の間に変化する。したがって、本発明の方法は、ｃ）前記関数Ｆを校正し、ｃ１）前記放射源が前記第１のモードで駆動されているとき、少なくとも２つの異なる閾値電流（Ｉｔｈｒ）で前記放射パワーおよび前記デルタ電流（Ｉｄｅｌｔａ）を求めるサブステップ、ｃ２）サブステップｃ１の測定値を用いることによって前記関数Ｆの少なくとも１つのパラメータを更新するサブステップを有するステップをさらに有する。
2007503081.tif 000002
【特許請求の範囲】
【請求項１】
放射源の放射パワーを制御する方法であって、
ａ）
ａ１）前記放射源が放射を始める閾値電流を求めるサブステップ
ａ２）前記放射源によって放射された前記放射パワーを測定するサブステップ
ａ３）所定の放射パワーＰｒ１を得るために、前記所定の放射パワーＰｒ１から前記測定された放射パワーを差し引くことによって計算されるデルタ電流を前記閾値電流に加えて、前記放射源を駆動するサブステップ
を有する、前記放射源を第１のモードで駆動するステップと、
ｂ）
ｂ１）前記閾値電流を求めるサブステップ
ｂ２）前記所定の放射パワーＰｒ１を得るために、前記閾値電流と前記デルタ電流と前記放射パワーとの間の関係のモデルである関数Ｆを用いることによって、前記閾値電流から計算される前記デルタ電流を前記閾値電流に加えて、前記放射源を駆動するサブステップ
を有する、前記放射源を第２のモードで駆動するステップとを有する方法において、
前記方法は、
ｃ）
ｃ１）前記放射源が前記第１のモードで駆動されているとき、少なくとも２つの異なる閾値電流で前記放射パワーおよび前記デルタ電流を求めるサブステップ
ｃ２）サブステップｃ１の測定値を用いることによって、前記関数Ｆの少なくとも１つのパラメータを更新するサブステップ
を有する、前記関数Ｆを校正するステップをさらに有することを特徴とする方法。
【請求項２】
前記第１のモードは、前記放射源への前記電流が前記放射パワーを測定するのに十分な長さの期間を有するパルスを有するモードであり、前記第２のモードは、前記放射源への前記電流が短パルス列を有するモードであることを特徴とする、請求項１に記載の方法。
【請求項３】
前記関数Ｆは、前記所定の放射パワーＰｒ１における閾値電流の変化の関数としてデルタ電流の変化を記述するモデル
【数１】
2007503081.tif 000010
によって定義され、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａはパラメータであり、前記関数Ｆは前記パラメータａを更新することによって更新されることを特徴とする、請求項１または２に記載の方法。
【請求項４】
サブステップｃ１で、前記放射パワーおよびデルタ電流が、３つ以上の閾値電流において測定されることを特徴とする、請求項１から３のいずれか１項に記載の方法。
【請求項５】
前記関数Ｆは、前記放射パワーの所定のレベルＰｒにおける閾値電流の変化の関数としてデルタ電流の変化を記述するモデル
【数２】
2007503081.tif 000011
によって定義され、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａおよびｂはパラメータであり、前記関数Ｆは前記パラメータａおよびｂを更新することによって更新されることを特徴とする、請求項４に記載の方法。
【請求項６】
前記閾値電流は、前記放射源の温度を変えることによって変えられることを特徴とする、請求項１から５のいずれか１項に記載の方法。
【請求項７】
情報媒体上の情報を再生する情報再生システムにおける放射源の放射パワーを制御する放射源駆動装置であって、
前記放射源の放射パワーを測定する放射パワー測定手段と、
閾値電流とデルタ電流とを加えることによって全電流を出力し、これによって、所定の放射パワーＰｒ１を得る加算手段と、
前記放射源が放射を始める前記閾値電流を求めて出力し、前記測定された放射パワーが前記閾値電流を求めるために用いられる閾値電流決定手段と、
前記デルタ電流の値は、前記放射パワーが所定の放射パワーＰｒ１にほぼ等しくなるように求められる、前記デルタ電流を求めて出力するデルタ電流決定手段であって、
前記所定の放射パワーＰｒ１から前記測定された放射パワーを差し引くことによって求められるオンラインデルタ電流を生成するオンラインデルタ電流生成器、
前記閾値電流と前記デルタ電流と前記放射パワーとの間の関係のモデルである関数Ｆを用いることによって、前記閾値電流から計算される概算デルタ電流を生成する概算デルタ電流生成器、
前記放射パワーが測定されるときには前記オンラインデルタ電流が出力され、前記放射パワーが測定されないときには前記概算デルタ電流が出力される、前記デルタ電流を出力するデルタ電流出力手段を有するデルタ電流決定手段とを有する放射源駆動装置において、
前記放射源駆動装置は、前記関数Ｆの少なくとも１つのパラメータを更新する校正手段をさらに有し、前記デルタ電流、前記閾値電流、および、前記測定された放射パワーは、前記校正手段に出力され、前記放射パワーおよび前記デルタ電流は、少なくとも２つの異なる閾値電流において求められ、その後、前記少なくとも１つのパラメータを更新するために用いられることを特徴とする放射源駆動装置。
【請求項８】
前記放射源電流生成器は、第１のモードおよび第２のモードで前記放射源を駆動することができ、前記放射パワー測定手段は、前記放射源が前記第１のモードで駆動されているときには前記放射パワーを測定することができ、前記放射パワー測定手段は、前記放射源が前記第２のモードで駆動されているときには前記放射パワーを測定することができず、前記校正手段は、前記放射源が前記第１のモードで駆動されている期間の間、前記関数Ｆを校正するようになっていることを特徴とする、請求項７に記載の放射源駆動装置。
【請求項９】
前記第１のモードは、前記放射源への前記電流が前記放射パワーを測定するのに十分な長さの期間を有するパルスを有するモードであり、前記第２のモードは、前記放射源への前記電流が短パルス列を有するモードであることを特徴とする、請求項８に記載の放射源駆動装置。
【請求項１０】
前記関数Ｆは、前記所定の放射パワーＰｒ１における閾値電流の変化の関数としてデルタ電流の変化を記載するモデル
【数３】
2007503081.tif 000012
によって定義され、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａはパラメータであり、前記校正手段は、前記パラメータａを更新することによって、前記関数Ｆを更新するようになっていることを特徴とする、請求項７から９のいずれか１項に記載の放射源駆動装置。
【請求項１１】
前記校正手段は、３つ以上の異なる閾値電流で前記放射パワーおよび前記デルタ電流を求めるようになっていることを特徴とする、請求項７から９のいずれか１項に記載の放射源駆動装置。
【請求項１２】
前記関数Ｆは、前記放射パワーの所定のレベルＰｒにおける閾値電流の変化の関数としてデルタ電流の変化を記述するモデル
【数４】
2007503081.tif 000013
によって定義され、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａおよびｂはパラメータであり、前記校正手段は、前記パラメータａおよびｂを更新することによって、前記関数Ｆを更新するようになっていることを特徴とする、請求項１１に記載の放射源駆動装置。
【請求項１３】
前記放射源駆動装置は、前記放射源の温度を変えることによって、校正のための前記閾値電流を変えるようになっていることを特徴とする、請求項７から１２のいずれか１項に記載の放射源駆動装置。
【請求項１４】
情報媒体上の情報を再生する情報再生装置であって、
請求項７から１３のいずれか１項に記載の放射源駆動装置と、
前記放射源駆動装置によって駆動される放射源と、
前記情報媒体のスポットに、前記放射源によって放射された放射を位置づける手段と、
前記スポットと前記情報媒体との間の相対変位を生じさせる手段とを有する情報再生装置。
【発明の詳細な説明】
【技術分野】
【０００１】
本発明は、放射源の放射パワーを制御する方法であって、
ａ）
ａ１）前記放射源が放射を始める閾値電流を求めるサブステップ
ａ２）前記放射源によって放射された前記放射パワーを測定するサブステップ
ａ３）所定の放射パワーＰｒ１を得るために、前記所定の放射パワーＰｒ１から前記測定された放射パワーを差し引くことによって計算されるデルタ電流を前記閾値電流に加えて、前記放射源を駆動するサブステップ
を有する、前記放射源を第１のモードで駆動するステップと、
ｂ）
ｂ１）前記閾値電流を求めるサブステップ
ｂ２）前記所定の放射パワーＰｒ１を得るために、前記閾値電流と前記デルタ電流と前記放射パワーとの間の関係のモデルである関数Ｆを用いることによって、前記閾値電流から計算される前記デルタ電流を前記閾値電流に加えて、前記放射源を駆動するサブステップ
を有する、前記放射源を第２のモードで駆動するステップとを有する方法に関する。
【０００２】
また、本発明は、情報媒体上の情報を再生する情報再生システムにおける放射源の放射パワーを制御する放射源駆動装置であって、
前記放射源の放射パワーを測定する放射パワー測定手段と、
閾値電流とデルタ電流とを加えることによって全電流を出力し、これによって、所定の放射パワーＰｒ１を得る加算手段と、
前記放射源が放射を始める前記閾値電流を求めて出力し、前記測定された放射パワーが前記閾値電流を求めるために用いられる閾値電流決定手段と、
前記デルタ電流の値は、前記放射パワーが所定の放射パワーＰｒ１にほぼ等しくなるように求められる、前記デルタ電流を求めて出力するデルタ電流決定手段であって、
前記所定の放射パワーＰｒ１から前記測定された放射パワーを差し引くことによって求められるオンラインデルタ電流を生成するオンラインデルタ電流生成器、
前記閾値電流と前記デルタ電流と前記放射パワーとの間の関係のモデルである関数Ｆを用いることによって、前記閾値電流から計算される概算デルタ電流を生成する概算デルタ電流生成器、
前記放射パワーが測定されるときには前記オンラインデルタ電流が出力され、前記放射パワーが測定されないときには前記概算デルタ電流が出力される、前記デルタ電流を出力するデルタ電流出力手段を有するデルタ電流決定手段とを有する放射源駆動装置に関する。
【０００３】
さらに、本発明は、放射源駆動装置を有し、情報媒体上の情報を再生する情報再生装置に関する。
【背景技術】
【０００４】
書き込みのクオリティは書き込みパワーに非常にセンシティブなので、光ディスク上に書き込みをしている間、書き込みパワーを正確に制御することが非常に重要となる。しかしながら、もしパルス列がライトストラテジとして用いられているならば、書き込み速度が速くなるにつれ、非常に短い書き込みパルスの間に書き込みパワーを測定することは、非常に困難または不可能になる。たいていの場合、ディスクから情報を読み取るとき、放射パワーはもっと簡単に測定される。読み込みおよび書き込みレベルの双方において放射パワーを測定するかわりに、読み込みレベルでのみ放射パワーが測定され、閾値電流を調整することによって制御される。しかしながら、放射源の効率は温度とともに変化する。温度の変化、つまり効率の変化は、放射源の閾値電流に影響を与える。閾値電流の変化から、放射源の効率を予想することができる。閾値電流からデルタ電流を求めるために用いられる補正因子を求めることができる。ここで、デルタ電流とは、所定の放射パワーが放射源によって放射されるときの電流である。放射パワーが読み込みレベルのパワーよりも高く、放射パワーを測定することが困難なライトストラテジを用いている場合、所定の放射パワーを得るために必要なデルタ電流を予想するためにこの補正因子を用いることができる。
【０００５】
欧州特許出願１１６９７５９号には、放射源の出力パワーの測定された平均値と、放射源の出力パワーの望ましい平均値との間の差を示すエラー信号を生成する手段を有する放射源制御回路が認められる。この回路は、エラー信号と、放射源を変調する情報信号とに応答して、放射源の制御信号を生成する結合手段をさらに有する。この結合手段は、エラー信号に依存する乗算因子γによって情報信号を変調する第１の手段と、エラー信号に依存する加算因子σによって情報信号を変調する第２の手段とを有する。加算因子σはエラー信号に線形に依存するのに対し、乗算因子γは関数
【数５】
2007503081.tif 000003
にしたがって、σから計算される。ここで、
【数６】
2007503081.tif 000004
である。
【０００６】
ここで、γ０およびσ０は、それぞれ基準温度でのγおよびσの値である。σからγを計算するために用いられる関数（１）は固定されているが、乗算因子γと加算因子σとの間の実際の関係は固定されていないように思える。因子ｋは放射源の寿命の間に変化する。乗算因子γは、放射源の寿命の間に、正しい値からそれる可能性がある。すると、放射源は、誤った放射パワーを放射することになる。
【発明の開示】
【発明が解決しようとする課題】
【０００７】
本発明の目的は、放射源の放射パワーを制御し、温度変化のような条件の変化の下であっても放射パワーを維持することができる方法を提供することにある。
【０００８】
また、本発明の目的は、温度の変化のような条件の変化の下であっても放射パワーを維持することができる放射源駆動装置を提供することにある。
【０００９】
さらに、本発明の目的は、このような放射源駆動装置を有する情報再生装置を提供することにある。
【課題を解決するための手段】
【００１０】
本発明によれば、放射源の放射パワーを制御する方法は、
ｃ）
ｃ１）前記放射源が前記第１のモードで駆動されているとき、少なくとも２つの異なる閾値電流で前記放射パワーおよび前記デルタ電流を求めるサブステップ
ｃ２）サブステップｃ１の測定値を用いることによって、前記関数Ｆの少なくとも１つのパラメータを更新するサブステップ
を有する、前記関数Ｆを校正するステップをさらに有する。
【００１１】
関数Ｆが１つのパラメータで定義されると、関数Ｆの２つの点を求めることによってその関数のパラメータを更新することが可能になる。校正が定期的に実行されると、放射パワーは、まず閾値電流を設定し、次にある放射パワーを得るために必要なデルタ電流を計算することによって、正確に制御することができる。関数Ｆが２つ以上のパラメータによって特徴づけられると、サブステップ１において、放射パワーおよびデルタ電流は３つ以上の閾値電流で測定される。
【００１２】
本発明の方法の一実施態様では、放射源への電流が第１のモードおよび第２のモードで選択的に駆動される。そこでは、放射源が第１のモードで駆動されているときには放射パワーを測定することができ、放射源が第２のモードで駆動されているときには放射パワーを測定することができず、放射源が第１のモードで駆動されている期間の間に関数Ｆを校正するステップｃが実行される。
【００１３】
例えば、パルス列ストラテジで光ディスク上に書き込みを行う場合、パルスは短すぎるので、書き込みパワーレベルを測定することは不可能である。しかしながら、ブロックストラテジで書き込みを行う場合、高速でも書き込みレベルを測定することはまだ可能である。ブロックストラテジは、長い書き込みパルスを含む書き込みストラテジである。特に、情報媒体上に長いマークを書き込む場合、放射された放射のパワーレベルを測定することは比較的容易である。したがって、ブロックストラテジの書き込みモードでは、関数Ｆを校正することが可能である。温度変化のような環境変化のため、測定された書き込みパワーは望ましい書き込みパワーとは異なるようになり、関数Ｆは両者が等しくなるまで調整することができる。関数Ｆは放射源の振る舞いによってのみ求められるので、これはパルス列ストラテジにもそのまま妥当する。ブロックストラテジモードの関数Ｆを調整することによって、関数Ｆは、用いられるストラテジごとに調整される。ＤＶＤ＋ＲＷドライブのような光ドライブで用いられる方法の場合、ブロックストラテジを必要とするディスクが挿入されるごとに、関数Ｆを校正することができる。
【００１４】
他の実施態様では、第１のモードは、放射源への電流が、放射パワーを測定するのに十分な長さの期間を有するパルスを有するモードであり、第２のモードは、放射源への電流が短パルス列を有するモードである。
【００１５】
一実施態様では、関数Ｆは、所定の放射パワーＰｒ１における閾値電流の変化の関数としてデルタ電流の変化を記述するモデル
【数７】
2007503081.tif 000005
によって定義される。
【００１６】
ここで、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａはパラメータであり、関数Ｆはパラメータａを更新することによって更新される。
【００１７】
このモデルは、半導体レーザのような放射源の振る舞いを記述する比較的単純なモデルである。
【００１８】
放射パワーおよびデルタ電流が３つ以上の閾値電流で測定される、本発明の他の実施態様では、関数Ｆは、放射パワーの所定のレベルＰｒにおける閾値電流の変化の関数としてデルタ電流の変化を記述するモデル
【数８】
2007503081.tif 000006
によって定義される。
【００１９】
ここで、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａおよびｂはパラメータであり、関数Ｆはパラメータａおよびｂを更新することによって更新される。
【００２０】
閾値電流を変える比較的簡単な方法は、放射源の温度を変えることである。半導体レーザのような放射源の閾値電流は、レーザの温度に依存する。放射源の温度は、例えば、長い期間にわたって放射源を活性化することによって上げることができる。
【００２１】
本発明によれば、放射源駆動装置は、関数Ｆの少なくとも１つのパラメータを更新する校正手段をさらに有し、デルタ電流、閾値電流、および、測定された放射パワーは、校正手段に出力され、放射パワーおよびデルタ電流は、少なくとも２つの異なる閾値電流において求められ、次いで、少なくとも１つのパラメータを更新するために用いられる。
【００２２】
放射源駆動装置の一実施態様では、放射源電流生成器は、第１のモードおよび第２のモードで放射源を駆動することができ、放射パワー測定手段は、放射源が第１のモードで駆動されているときには放射パワーを測定することができ、放射パワー測定手段は、放射源が第２のモードで駆動されているときには放射パワーを測定することができず、校正手段は、放射源が第１のモードで駆動されている期間の間、関数Ｆを校正するようになっている。
【００２３】
前の実施態様の変形において、第１のモードは、放射源への電流が放射パワーを測定するのに十分な長さの期間を有するパルスを有するモードであり、第２のモードは、放射源への電流が短パルス列を有するモードである。
【００２４】
放射源駆動装置の他の実施態様では、関数Ｆは、所定の放射パワーＰｒ１における閾値電流の変化の関数としてデルタ電流の変化を記載するモデル
【数９】
2007503081.tif 000007
によって定義される。
【００２５】
ここで、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａはパラメータであり、校正手段はパラメータａを更新することによって、関数Ｆを更新するようになっている。
【００２６】
放射源駆動装置のさらに他の実施態様では、校正手段は、３つ以上の異なる閾値電流で放射パワーおよびデルタ電流を測定するようになっている。
【００２７】
前の実施態様のさらに詳細な実施態様では、関数Ｆは、放射パワーの所定のレベルＰｒにおける閾値電流の変化の関数としてデルタ電流の変化を記述するモデル
【数１０】
2007503081.tif 000008
によって定義される。
【００２８】
ここで、ＩＴＨＲ−１は第１の閾値電流であり、ＩＴＨＲ−２は第２の閾値電流であり、ＩＤＥＬＴＡ−１は第１のデルタ電流であり、ＩＤＥＬＴＡ−２は第２のデルタ電流であり、ａおよびｂはパラメータであり、校正手段は、パラメータａおよびｂを更新することによって、関数Ｆを更新するようになっている。
【００２９】
本発明によれば、情報媒体上の情報を再生する情報再生装置は、
本発明の放射源駆動装置と、
前記放射源駆動装置によって駆動される放射源と、
前記情報媒体のスポットに、前記放射源によって放射された放射を位置づける手段と、
前記スポットと前記情報媒体との間の相対変位を生じさせる手段とを有する。
【００３０】
本発明の情報再生装置は、放射源が放射パワーを測定するのが不可能または困難なモードで駆動されている場合であっても、放射源の放射パワーが正確に制御されるという利点を有している。
【００３１】
本発明のこれらおよび他の態様は、図面を参照してより詳細に説明する。
【発明を実施するための最良の形態】
【００３２】
図１ａには情報媒体１１の一例が示されており、情報再生システムはこの情報媒体１１から情報を再生する。ディスク形の情報媒体１１は、トラック９および中心ホール１０を有する。トラック９は、情報層の上にほぼ平行なトラックを構成するように、スパイラルパターンの巻き方にしたがって配される。情報媒体１１は、記録可能なタイプの情報層を有する光ディスクであってもよい。記録可能なディスクの例は、ＣＤ−Ｒ、ＣＤ−ＲＷ、および、ＤＶＤ＋ＲＷである。記録可能なタイプの情報媒体上のトラック９は、無記録の情報媒体１１の製造中に設けられる、あらかじめエンボスされたトラック９の構造、例えばプリグルーブによって示される。記録される情報は、トラック９に沿って記録される光学検出可能なマークによって、情報層上に表現される。マークは、物理パラメータの変化によって構成され、これにより、周囲とは異なる光学特性、例えば反射率の変化を有するようになる。
【００３３】
図１ｂは、記録可能なタイプの情報媒体１１の線ｂ−ｂに沿って切った断面図であり、透明基板１５に記録層１６および保護層１７が設けられている。保護層１７は、例えば、記録層が０．６ｍｍの基板の上にあり、他の０．６ｍｍの基板がその背面に付けられているＤＶＤにおけるような、他の基板層を有していてもよい。プリグルーブ１４は、基板１５の材料のインデンテーションまたはエレベーションとして、または、その周囲からそれる材料特性として、実現してもよい。
【００３４】
一実施形態では、情報媒体１１は、ＭＰＥＧ２のような標準化されたフォーマットにしたがって、ディジタルに符号化されたビデオを示す情報を保持している。
【００３５】
図１ｃは、トラック９のウォブルの一例を示している。トラック９の詳細１２は、ウォブルとも呼ばれている、プリグルーブ１４の横方向の位置の周期的な変化を示している。この変化は、補助検出器、例えば、走査型装置のヘッドの中央スポットにある部分検出器によって生成されるプッシュ−プルチャネルに別の信号を生じさせる。ウォブルは、例えば周波数変調されており、位置情報はその変調の中で符号化される。ウォブルとウォブルにおける情報の符号化の包括的な説明は、ＣＤについては、ＵＳ４，９０１，３００（ＰＨＮ１２．３９８）およびＵＳ５，１８７，６９９（ＰＨＱ８８．００２）に、ＤＶＤ＋ＲＷシステムについては、ＵＳ６，５３８，９８２（ＰＨＮ１７．３２３）に認めることができる。
【００３６】
半導体レーザのような放射源は、放射源に流される電流が閾値電流Ｉｔｈｒと呼ばれるあるレベルを超えると、放射を始める。図２では、２つの閾値電流Ｉｔｈｒ−１およびＩｔｈｒ−２が示されている。縦軸上には放射パワーＰｒが示され、横軸上には放射源に流される信号が示されている。曲線１は、放射源の第１の温度における、放射源に流される電流と放射パワーとの間の関係を示している。曲線２は、放射源の第２の温度における、放射源に流される電流と放射パワーとの間の関係を示している。閾値電流Ｉｔｈｒは、放射源の温度に依存している。曲線１の閾値電流Ｉｔｈｒ−１は、曲線２の閾値電流Ｉｔｈｒ−２よりも小さい。また、図２には、ある放射パワーＰｒ１を得るのに必要な追加電流が示されている。曲線１では、デルタ電流とも呼ばれる追加電流は、Ｉｄｅｌｔａ−１である。しかしながら、曲線２では、デルタ電流Ｉｔｈｒ−２はＩｔｈｒ−１より大きい。これは、放射源の温度が変化すると、曲線の勾配も変化するからである。閾値電流Ｉｔｈｒとデルタ電流Ｉｄｅｌｔａとの間には関係があるようである。この関係は、放射源駆動装置において、所定の放射パワーＰｒ１を得るために閾値電流Ｉｔｈｒに加えて必要なデルタ電流Ｉｄｅｌｔａを予想するために用いられる。放射パワーＰｒを測定することができると、この測定された放射パワーＰｒは放射パワーを制御するためにフィードバックとして用いられる。この場合、閾値電流Ｉｔｈｒからデルタ電流Ｉｄｅｌｔａを予想する必要はない。しかしながら、放射源が、放射パワーが測定されないような方法で制御されるとき、デルタ電流Ｉｄｅｌｔａと閾値電流Ｉｔｈｒとの関係が用いられる。例えば、一般的なライトストラテジは、短パルスで放射源を制御する。書きこみ速度は最近上がっているので、パルスは短くなりすぎて放射パワーを測定することができない。
【００３７】
放射源駆動装置は、閾値電流Ｉｔｈｒとデルタ電流Ｉｄｅｌｔａと放射パワーＰｒとの間の関係のモデルである関数Ｆを用いる。例えば、次の関数が用いられる。
【数１１】
2007503081.tif 000009
【００３８】
ここで、ＩＴＨＲ−１は第１の閾値電流、ＩＴＨＲ−２は第２の閾値電流、ＩＤＥＬＴＡ−１は第１のデルタ電流、ＩＤＥＬＴＡ−２は第２のデルタ電流、ａはパラメータである。‘ａ’の値は放射源に依存し、放射源の寿命の間に変化する可能性もある。放射源を十分に温めるには時間がかかるので、製造調整の間にこのパラメータを測定することは困難であり、その上、製造工程では劣化効果を考慮に入れることができない。したがって、パラメータａは、ドライブの通常動作の間に校正される。
【００３９】
図３では、放射源２６に電流Ｉｔｏｔが流される。結果として、放射源２６が放射する。放射パワーは放射パワー測定手段２７によって測定される。測定された放射パワーＰｍは、閾値電流決定手段２０およびデルタ電流決定手段２１に出力される。閾値電流決定手段２０は、放射源２６が放射を始める閾値電流Ｉｔｈｒを求める。閾値電流Ｉｔｈｒは加算手段２５に出力される。デルタ電流生成器２１は、測定された放射パワーＰｍを用いることによってオンラインデルタ電流を生成するオンラインデルタ電流生成器を有する。図２からわかるように、閾値電流Ｉｔｈｒから、放射パワーＰｒはデルタ電流Ｉｄｅｌｔａと線形な関係を有している。したがって、放射パワーを測定することにより、デルタ電流は、所定の放射パワーＰｒ１から測定された放射パワーＰｍを差し引くことによって、簡単に計算することができる。デルタ電流生成器２１は、関数Ｆを用いることによって概算デルタ電流を生成する概算デルタ電流生成器２２をさらに有する。関数Ｆは、入力としての閾値電流Ｉｔｈｒを用いて、所定の放射パワーＰｒ１を得るために必要なデルタ電流Ｉｄｅｌｔａを予想する。デルタ電流出力手段２４は、オンラインデルタ電流か、概算デルタ電流を出力部に通過させる。デルタ電流出力手段２４は、その入力がオンラインデルタ電流と概算デルタ電流の選択を制御する情報再生システムの中央処理装置からきた入力を有していてもよい。
【００４０】
本発明によれば、放射源駆動装置は校正手段２８をさらに有する。校正手段２８は、例えば、一定の所定の放射パワーＰｒ１において、２つの異なる閾値電流Ｉｔｈｒにおけるデルタ電流Ｉｄｅｌｔａを求めることによって、関数（６）においてパラメータａを求めることができる。関数Ｆが複数のパラメータを有している場合には、さらに多くの校正点が更新されたパラメータを求めるために必要とされる。関数Ｆのパラメータは、初期にはある概算値に設定することができる。しかしながら、パラメータは放射源２６に依存し、たいていの場合、あまりよい概算ではない。放射源駆動装置が動作している間、これらのパラメータは校正手段によってより正確なものに更新される。
【００４１】
情報を情報媒体１１上に記録することもできる情報再生装置では、放射源２６は書きこみモードまたは読み取りモードで駆動される。読み取りモードでは、放射パワーＰｒはたいてい測定することができる。書き込みモードでは、短パルスで放射源２６を制御するのが一般的である。書き込みパルスを加える前に、閾値電流が放射源２６に流される。閾値電流Ｉｔｈｒは、この期間の間に求めることができる。パルスが放射源２６に加えられると、放射パワーＰｒを測定することができなくなるか、測定するのが困難になる。そこで、関数Ｆは、所定の放射パワーＰｒ１を設定するのに必要なデルタ電流Ｉｄｅｌｔａを求めるために用いられる。求められたデルタ電流Ｉｄｅｌｔａ−１、閾値電流Ｉｔｈｒ−１が保存される。次にデルタ電流Ｉｄｅｌｔａ−２および閾値電流Ｉｔｈｒ−２が求められ、閾値電流Ｉｔｈｒ−２が閾値電流Ｉｔｈｒ−１とはかなり異なると、校正手段が関数Ｆのパラメータを更新することができる（関数Ｆが１つのパラメータを有しているだけならば）。
【００４２】
特別な場合が、ＣＤ−ＲＷまたはＤＶＤ＋ＲＷのような再書き込み可能な光ディスクに書き込む場合である。このようなディスクのライトストラテジはパルス書き込みである。パルス書き込みの間、瞬間の放射パワーを測定することができない。しかしながら、書き込みパルスの間において、再書き込み可能なディスク上の情報を消すために、イレースブロックが放射される。イレースブロックは、イレースブロックの間、放射パワーを測定することができるようなブロックストラテジを有している。書き込みパルスの間、瞬間の放射パワーを測定することはできないが、平均放射パワーを測定することはできる。イレースブロックの間の放射パワーと書き込みパルスの間の平均放射パワーとがお互いにかなり異なるのであれば、測定された放射パワーから閾値電流およびデルタ電流を取り出すことは可能である。しかしながら、イレースブロックの間の放射パワーと書き込みパルスの間の平均放射パワーはほぼ同じレベルである。この場合、閾値電流はイレースブロックの間に求められ、次に関数Ｆを用いてデルタ電流を求めるために用いられる。
【００４３】
図４は、本発明の情報再生および／または記録装置を示している。装置は、情報媒体１１を回転させる回転手段３１と、ヘッド３２と、ヘッド３２をトラック９上で位置決めするサーボユニット３５と、制御ユニット３０とを含む。ヘッドは、放射源駆動装置と、放射源２６と、情報媒体１１上のスポット３３に、放射源２５によって放射される放射を位置づける手段３６とを含む。放射源２６はレーザダイオードでもよい。手段３６は、情報媒体１１のトラック９上の放射スポット３３に、光素子を介して放射ビームを導き、放射ビームをフォーカスする公知のタイプの光システムでもよい。ヘッドは、ビームの光軸にそって放射ビームの焦点を動かすフォーカシングアクチュエータと、トラック９の中心で半径方向にスポット３３を微小に位置決めするトラッキングアクチュエータとをさらに有する（不図示）。トラッキングアクチュエータは、光学素子を半径方向に動かすためのコイルを有してもよく、かわりに、反射素子角度を変えるようになっていてもよい。フォーカシングおよびトラッキングアクチュエータは、サーボユニット３５からのアクチュエータ信号によって駆動される。読み取りでは、情報媒体１１によって反射された放射が、トラッキングおよびフォーカシングのための主走査信号４３およびエラー信号４５を含むさまざまな走査信号を生成するフロントエンドユニット４１に結合された検出器信号を生成する、ヘッド３２における通常のタイプの検出器、例えば、４分割ダイオードによって検出される。エラー信号４５は、トラッキングおよびフォーカシングアクチュエータを制御するサーボユニット３５に結合されている。主走査信号４３は、デモジュレータと、デフォーマッタと、情報を取り出すための出力ユニットとを含む、通常のタイプの読み取り処理ユニット４０によって処理される。
【００４４】
一実施形態では、装置には、情報媒体１１または書き込み可能または再書き込み可能なタイプ、例えば、ＣＲ−ＲまたはＣＤ−ＲＷまたはＤＶＤ＋ＲＷまたはＢＤ上に情報を記録する記録手段が備えられる。記録手段は、書き込みビームの放射を生成するヘッド３２とフロントエンドユニット４１とともに動作し、入力情報を処理してヘッド３２を駆動する書き込み信号を生成する、入力ユニット３７と、フォーマッタ３８と、モジュレータ３９とを有する書き込み処理手段を有する。情報を書き込むために、放射ビームが、情報媒体１１上に光学検出可能なマークを生成するように制御される。このマークは、光学読み取り可能な任意の形式、例えば、色素、合金、または、相変化物質のような材料で記録した場合に得られる、周囲とは異なる反射係数を有する領域の形式、または、磁気光学材料で記録した場合に得られる、周囲とは異なる偏光方向を有する領域の形式であってもよい。
【００４５】
光ディスク上に記録する情報およびフォーマッティングの情報の書き込みおよび読み取り、エラー補正、および、チャネル符号ルールは、従来技術、例えばＣＤまたはＤＶＤシステムでよく知られている。一実施形態では、入力ユニット３７は、アナログオーディオおよび／またはビデオ、または、ディジタル未圧縮オーディオ／ビデオのような入力信号のための圧縮手段を有する。適切な圧縮手段は、ビデオについてはＭＰＥＧ標準に説明されており、ＭＰＥＧ−１はＩＳＯ／ＩＥＣ１１１７２に定められており、ＭＰＥＧ−２はＩＳＯ／ＩＥＣ１３８１８に定められている。かわりに、入力信号はこのような標準にしたがってすでに符号化されていてもよい。
【００４６】
制御ユニット３０は、情報の走査および取り出しを制御し、ホストコンピュータのユーザからコマンドを受け取るようになっていてもよい。制御ユニット３０は、制御ライン４２、例えば、システムバスを介して装置の他のユニットに接続されている。制御ユニットは、オンラインデルタ電流か概算デルタ電流かを選択するデルタ電流出力手段２４に信号を出力してもよい。
【図面の簡単な説明】
【００４７】
【図１ａ】ディスクの形をした情報媒体を示している。
【図１ｂ】情報媒体について切った断面図を示している。
【図１ｃ】トラックのウォブルの一例を示している。
【図２】放射源の閾値電流とデルタ電流との間の関係を示す２つの曲線を示している。
【図３】放射源駆動装置の一実施形態を示している。
【図４】情報再生装置の一実施態様を示している。
【図１ａ】
2007503081.tif 000014
【図１ｂ】
2007503081.tif 000015
【図１ｃ】
2007503081.tif 000016
【図２】
2007503081.tif 000017
【図３】
2007503081.tif 000018
【図４】
2007503081.tif 000019
【国際調査報告】
2007503081.tif 000020
2007503081.tif 000021